(57)【要約】      （修正有）【課題】フープが回転溝から離脱せず、重りの調整が可能な運動器具を提供する。【解決手段】運動器具Ｅは、周方向に連続して凹設した回転溝を有する滑車状のリング部と、前記リング部の中心に貫通してリングの裏表面に突出するシャフト部４０と、前記リング部の回転溝に内周部の一部が嵌合しながらリングの周囲を回転する円環状のフープ部７０と、前記リング部の裏表両面に挟み込み、前記リング部の直径以上の直径を有する円形のフープガード部８１と、を備え、シャフトの両端を両手にて把持して回転運動を与え、フープの内周のいずれか一部をリングの回転溝に嵌合させながら回転させる、ことによって、回転リズムを損なった場合でも、フープガード部によってフープはリングから離脱せずに、運動を続けることが可能となる。【選択図】図８
0003233057.tif 000002
【実用新案登録請求の範囲】
【請求項１】
周方向に連続して凹設した回転溝を有する滑車状のリング部と、
前記リング部の中心に貫通してリングの裏表面に突出するシャフト部と、
前記リング部の回転溝に内周部の一部が嵌合しながらリングの周囲を回転する円環状のフープ部と、
前記リング部の裏表両面に挟み込み、前記リング部の直径以上の直径を有する円形のフープガード部と、
を備え、シャフトの両端を両手にて把持して回転運動を与え、フープの内周のいずれか一部をリングの回転溝に嵌合させながら回転させる、
ことを特徴とする運動器具。
【請求項２】
前記シャフト部は縦方向に二分割可能である筒状体であり、
前記シャフト部の内部に、２以上の重りが収納可能となる重り収納部と、
を備えることを特徴とする請求項１記載の運動器具。
【考案の詳細な説明】
【技術分野】
【０００１】
本考案は脳の運動機能及び体力増強を図るための運動器具に関するものであり、特に全身筋力の発達を促すとともに平衡機能、反射機能、敏捷性も向上させ、引いては脳細胞の老化も防ぐことが可能な運動器具に関する。
【背景技術】
【０００２】
運動器具としては、その目的に応じて様々なものが開発されている。筋力を発達させるためにはバーベルのような重量のあるものが使用され、反射神経の能力や敏捷性を高めるためには縄跳びのようなものが開発されている。
【０００３】
バーベルも縄跳びも、筋力を著しく過激に使うものであり、筋肉や心臓、関節に対する負担が余りにも大き過ぎる。したがって特に老人や障害者などの体力の衰えた人達が急に取り組む運動としては不向きである。更にバーベルは器具が大がかりであ り、縄跳びはその振動が問題となって、双方とも自宅の屋内などで手軽に行なう運動ということはできないといったことから、特許文献１のような器具が考案された
【先行技術文献】
【特許文献】
【０００４】
【特許文献１】実用新案登録第２５０９７００３号
【考案の概要】
【考案が解決しようとする課題】
【０００５】
特許文献１の考案にかかる運動器具は、リング、シャフト及びフープから成っており、リングは円形であって、周方向に連続する回転溝が凹設された滑車状の形状を成している。リングの表裏面に突出したシャフトを握り、フープをリングの回転溝に引っ掛けた状態で大きく回転させ、内周のいずれか一部が回転溝に嵌合しながら、フープはリングの回転溝を中心に回転させていたが、回転リズムを損なった場合はフープが回転溝から離脱してしまい、運動を続けることが困難な場合があった。
【０００６】
また、特許文献１の考案にかかる運動器具のシャフト部には一定の重りのみが収納可能となっており、老人や障害者などの体力の衰えた人達が急に取り組む運動としては、加重が調整できない、という課題もあった。
【課題を解決するための手段】
【０００７】
前記課題を解決するために、請求項１記載の考案は、周方向に連続して凹設した回転溝を有する滑車状のリング部と、前記リング部の中心に貫通してリングの裏表面に突出するシャフト部と、前記リング部の回転溝に内周部の一部が嵌合しながらリングの周囲を回転する円環状のフープ部と、前記リング部の裏表両面に挟み込み、前記リング部の直径以上の直径を有する円形のフープガード部と、を備え、シャフトの両端を両手にて把持して回転運動を与え、フープの内周のいずれか一部をリングの回転溝に嵌合させながら回転させる、ことを特徴としている。
【０００８】
請求項２の考案は、前記シャフト部は縦方向に二分割可能である筒状体であり、前記シャフト部の内部に、２以上の重りが収納可能となる重り収納部と、を備えることを特徴としている。
【考案の効果】
【０００９】
本考案によれば、両手でシャフト部を握ってリング部に回転運動を与えてフープ部を回転させ続ける運動を提供するが、回転リズムを損なった場合でも、フープガード部によってフープはリングから離脱せずに、運動を続けることが可能となる。
【００１０】
。
さらにシャフト部の重さを２以上の重りによって調整が可能となり、老人などの体力の衰えた者でも、筋力に合わせて運動が可能となる運動器具を提供する。
【図面の簡単な説明】
【００１１】
【図１】本考案の実施形態に係る運動器具Ｅの斜視図である。
【図２】本考案の実施形態に係る器具Ｅがフープガード部８１及び８２を外した分解斜視図である。
【図３】本考案の実施形態に係る器具Ｅのリング部１０の正面図（ａ）及び側面図（ｂ）である。
【図４】本考案の実施形態に係る器具Ｅのシャフト部４０の正面図である。
【図５】本考案の実施形態に係る重り５１の斜視図である。
【図６】本考案の実施形態に係るシャフト部４０を、シャフト半筒下部４１及びシャフト半筒上部４２とに二分割し、重り５１乃至５３を収納する前の状態を示す斜視図である。
【図７】本考案の実施形態に係るシャフト部４０を、シャフト半筒下部４１及びシャフト半筒上部４２とに二分割し、重り５１乃至５３を収納した後の状態を示す斜視図である。
【図８】本考案の実施形態に係る器具Ｅを用いて人Ｈが運動している図である。
【考案を実施するための形態】
【００１２】
以下、添付図面を参照しながら本考案の実施の形態について説明する。以下の実施の形態は、本考案を説明するための例示であり、本考案をその実施の形態のみに限定する趣旨ではない。また、本考案は、その要旨を逸脱しない限り、様々な変形が可能である。さらに、各図面において同一の構成要素に対しては可能な限り同一の符号を付し、重複する説明は省略する。
【００１３】
図１は本考案の実施形態に係る運動器具Ｅ（以下、器具Ｅと略す）の斜視図、図２は本考案の実施形態に係る器具Ｅがフープガード部８１及び８２を外した分解斜視図、図３は本考案の実施形態に係る器具Ｅのリング部１０の正面図（ａ）及び側面図（ｂ）、並びに図４は本考案の実施形態に係る器具Ｅのシャフト部４０の正面図である。
【００１４】
器具Ｅは図１乃至図４の通り、リング部１０、シャフト部４０、フープ部７０、フープガード部８１及びフープガード部８２からなる。器具Ｅの素材は問わず、可塑性プラスチック等の高分子材料製、金属製及び木製等でも良いが、合成樹脂が好ましい。
【００１５】
リング部１０は図２、図３（ａ）正面図及び図３（ｂ）側面図に示す通り、円形のリングであり、周方向に連続する回転溝１２が凹設されている。リング部１０の中心には表裏面に貫通するシャフト孔１３が貫通している
【００１６】
シャフト部４０は図１、図２及び図４に示す通り、円柱状の棒状体である。シャフト部４０は図６及び図７に示す通りシャフト半筒下部４１及びシャフト半筒上部４２と二分割することができ、図５乃至図７に示す円柱状の重り５１乃至５３を、図６及び図７に示す通り収納し、シャフト部４０の重量を調整することが可能となる。重りは重量を有する金属製が好ましく、シャフト部４０の総重量は５０ｇ乃至１０００ｇ程度で調整できることがさらに好ましい。
【００１７】
図６及び図７に示す実施例ではシャフト部半筒下部４１及びシャフト半筒上部４２に重り仕切り４１１乃至４１４、並びに４２１乃至４２４を設け、重りは３つ収納できる構造としているが、２以上収納できればよく、重りが収納できる数が多いほど、シャフト部４０の重量を細かく調整できる。
【００１８】
図６及び図７に示す実施例ではシャフト部半筒下部４１及びシャフト半筒上部４２に重りとシャフト部４０の内部が直接触れないように、凸部４１５乃至４２０、並びに４２５乃至４３０を設け、重りを取り出しやすいような設計としているが、凸部は無くても良い。
【００１９】
フープ部７０は図１及び図２に示す通り、円環状のフープであり、リング部１０の回転溝１２に載せるように嵌合させる。図示した実施例ではバランスとるために、中心から四方に位置する部分に孔７１乃至７３をあいているが、孔は無くても良い。図示した実施例の孔７１乃至７３はそれぞれ三か所穴が開いているが、バランスをとるためには実施例の孔７１乃至７３を設けることが好ましい。
【００２０】
フープガード部８１及び８２は図１及び図２に示す通り、リング部１０の裏表両面に挟み込んで、運動時にフープ部７０が回転した際に回転リズムを損なった場合でも、フープ部４０はリング部１０から離脱しないようにガードを行う。フープガード部８１及び８２の直径はリング部１０の直径以上、及びフープ部７０の直径以下であることが好ましい。リング部１０の直径以下では離脱のガード機能を果たさなくなるためであり、フープ部７０の直径以上の場合は、フープ部７０とフープガード部８１及び８２が接触しやすくなり、回転リズムが取りにくくなるためである。また、フープガード部８１及び８２は中心に表裏面に貫通するガードシャフト孔８１３及び８２３を設ける。
【００２１】
フープガード部８１及び８２はフープ部７０の離脱を防ぐためのものであるため、器具Ｅその他の素材とは異なっても良く、例えば発泡スチロール、といった器具Ｅの他の素材よりも軽い素材が好ましい。
【００２２】
＜実施形態＞
次に器具Ｅの使用方法について説明する。図１及び図２に示す通り、シャフト部４０には重り５１乃至５３を入れた状態で、リング１０のシャフト孔１３に挿入し、リング１０の表裏面に両側が突出するようにする。リング１０の回転溝１２には、円環状のフープ７０の内周部分の一部が位置するようにする。リング１０の回転溝１２には、円環状のフープ７０の内周部分の一部が位置するようにする。
【００２３】
さらに、フープ部７０が離脱しないよう、リング１０を表裏から挟み込むようにガードシャフト孔８１３及び８２３を貫通させてフープガード部８１及び８２をシャフト部４０へ挿入する。
【００２４】
図８は本考案の実施形態に係る器具Ｅを用いて人Ｈが運動している図である。運動を開始するには、シャフト部４０の両端を人Ｈが左右の手にて握り、シャフト部４０を軸にした円運動を描くように動かす。内周のいずれか一部が回転溝１２に嵌合しながら、フープ部７０はリング１０の回転溝１２を中心に回転する。フープを回転させるために腕や腰、或いは膝の軽い屈伸リズム運動を使って、回転を持続させる。
【００２５】
前記運動は腕や脚及び全身の筋肉を養う運動となるばかりでなく、脳の運動領域の活性化につながることとなる。この運動量は決して激しいものではなく、老人などの体力の衰えた者や子供にも、実施が可能である。またフープガード部８１及び８２が備わったことにより、フープ部７０が離脱せず、器具Ｅの扱いが簡易となった。
【符号の説明】
【００２６】
１０    リング部
１２    回転溝
１３    シャフト孔
４０    シャフト部
４１    シャフト半筒下部
４１１  重り仕切り１
４１２  重り仕切り２
４１３  重り仕切り３
４１４  重り仕切り４
４１５  凸部１
４１６  凸部２
４１７  凸部３
４１８  凸部４
４１９  凸部５
４２０  凸部６
４２    シャフト半筒上部
４２１  重り仕切り５
４２２  重り仕切り６
４２３  重り仕切り７
４２４  重り仕切り８
４２５  凸部７
４２６  凸部８
４２７  凸部９
４２８  凸部１０
４２９  凸部１１
４３０  凸部１２
５１    重り１
５２    重り２
５３    重り３
７０    フープ部
７１    孔１
７２    孔２
７３    孔３
８１    フープガード部１
８１３  ガードシャフト孔１
８２    フープガード部２
８２３  ガードシャフト孔２
Ｅ  運動器具
Ｈ  運動をする人
【図１】
0003233057.tif 000003
【図２】
0003233057.tif 000004
【図３】
0003233057.tif 000005
【図４】
0003233057.tif 000006
【図５】
0003233057.tif 000007
【図６】
0003233057.tif 000008
【図７】
0003233057.tif 000009
【図８】
0003233057.tif 000010